(57)【特許請求の範囲】
【請求項１】
座部（２）と背もたれ部（３）とを有する座席本体（４）と、座席本体（４）の前部に設けられて自転車のハンドル（２３）の後側に装着される座席支持部（６）とを有し、座席本体（４）の座部（２）の前端側を座席支持部（６）に対して左右方向の支持軸（２９）廻りに揺動自在に連結して、座席本体（４）を後方に揺動した着座姿勢（Ｘ）と前方に揺動した折畳姿勢（Ｙ）とに姿勢変更自在とした自転車用幼児座席であって、
座席支持部（６）の支持軸（２９）下方に被接当部（３１）が設けられ、座部（２）の前端側に、座席本体（４）が着座姿勢（Ｘ）になったときに被接当部（３１）に後側から接当して座席本体（４）の支持軸（２９）廻りの下方揺動を止める接当部（３２）が設けられ、
接当部（３２）が被接当部（３１）に接当する前に被接当部（３１）に接当して座席本体（４）が折畳姿勢（Ｙ）から着座姿勢（Ｘ）に揺動しないように規制する規制体（３９）が座部（２）側に設けられ、該規制体（３９）は被接当部（３１）と接当部（３２）との間に突出する規制位置（Ａ）と被接当部（３１）と接当部（３２）との間から後退する後退位置（Ｂ）とに移動固定可能に支持されていることを特徴とする自転車用幼児座席。
【請求項２】
前記規制体（３９）が座部（２）の下面側に回動支軸（３６）廻りに回動自在に支持され、規制体（３９）の回動操作により、規制体（３９）が接当部（３２）側から被接当部（３１）に向けて突出する規制位置（Ａ）と接当部（３２）側に後退する後退位置（Ｂ）とに移動固定可能とされていることを特徴とする請求項１に記載の自転車用幼児座席。
【請求項３】
座部（２）の下面側に、規制体（３９）を規制位置（Ａ）と後退位置（Ｂ）とに位置決め固定する位置決め機構（４６）が設けられていることを特徴とする請求項２に記載の自転車用幼児座席。
【請求項４】
前記規制体（３９）は、回動支軸（３６）から径外方向への突出長さが異なる複数の規制部（４１，４２）を回動支軸（３６）廻りに互いにずれた位置に有しており、規制体（３９）を回動操作した複数の規制位置（Ａ１，Ａ２）でそれぞれの規制部（４１，４２）が接当部（３２）側から被接当部（３１）に向けて突出する長さが異なるように構成されていることを特徴とする請求項１〜３のいずれかに記載の自転車用幼児座席。
【請求項５】
前記規制体（３９）は、接当部（３２）側から被接当部（３１）に向けて突出する長さが複数段に設定変更可能に構成されていることを特徴とする請求項１〜３のいずれかに記載の自転車用幼児座席。
【請求項６】
前記規制体（３９）は、接当部（３２）側から被接当部（３１）に向けて突出する長さが連続的に設定変更可能に構成されていることを特徴とする請求項１〜３のいずれかに記載の自転車用幼児座席。
【発明の詳細な説明】
【技術分野】
【０００１】
本発明は、自転車のハンドルに装着するようにした自転車用幼児座席に関するものである。
【背景技術】
【０００２】
自転車用幼児座席には、座部と背もたれ部とを有する座席本体と、座席本体の前部に設けられて自転車のハンドルの後側に装着される座席支持部とを有し、座席本体の座部の前端側を座席支持部に対して左右方向の支持軸廻りに揺動自在に連結して、座席本体を後方に揺動した着座姿勢と前方に揺動した折畳姿勢とに姿勢変更自在とし、これにより、座席本体に幼児を座らせない場合には座席本体を前方に揺動した折畳姿勢にして自転車にゆったりと乗れるようにしたものがある（例えば、特許文献１、２）。
【０００３】
しかし、この種の従来の自転車用幼児座席では、座席本体を前方に揺動した折畳姿勢から着座姿勢に戻らないないように規制できるようにはなっていなかった（例えば、特許文献１）。
また、他の従来の自転車用幼児座席では、座部の前端部と座席支持部との間にガイド側板を設け、ガイド側板に円弧状の誘導溝を設け、座部の前端部に突設したガイド体を誘導溝に前後摺動可能に挿通して、座席本体を前方に揺動した折畳姿勢にしたときに、前記円弧状の誘導溝の前端部側にガイド体を移動させてここに位置決め係止させることにより、座席本体を前方に揺動した折畳姿勢から着座姿勢に戻らないないように規制できるようにしたものがある（例えば、特許文献２）。
【先行技術文献】
【特許文献】
【０００４】
【特許文献１】特開２００２−３１６６８０号公報
【特許文献２】特開２００２−２４０７６３号公報
【発明の概要】
【発明が解決しようとする課題】
【０００５】
従って、従来の前者の自転車用幼児座席では、座席本体を折畳姿勢にした状態で自転車を運転した際に、自転車がガタ付くと、座席本体が折畳姿勢から着座姿勢にた易く揺動して、座席本体が大きくガタ付いて邪魔になるという問題があった。
従来の後者の自転車用幼児座席でも、座席本体を折畳姿勢にした状態で自転車を運転した際に、自転車が大きくガタ付くと、円弧状の誘導溝の前端部側からガイド体が後方側に不測に移動して、座席本体が折畳姿勢から着座姿勢に揺動し、座席本体が大きくガタ付いてしまうという問題があった。
【０００６】
本発明は上記問題点に鑑み、座席本体に幼児を座らせない場合には、座席本体が折畳姿勢から着座姿勢に揺動するのを確実に防いで、座席本体が大きくガタ付かないようにした自転車用幼児座席を提供することを目的としている。
【課題を解決するための手段】
【０００７】
本発明における課題解決のための具体的手段は、次の通りである。
この技術的課題を解決する本発明の技術的手段は、座部２と背もたれ部３とを有する座席本体４と、座席本体４の前部に設けられて自転車のハンドル２３の後側に装着される座席支持部６とを有し、座席本体４の座部２の前端側を座席支持部６に対して左右方向の支持軸２９廻りに揺動自在に連結して、座席本体４を後方に揺動した着座姿勢Ｘと前方に揺動した折畳姿勢Ｙとに姿勢変更自在とした自転車用幼児座席であって、
座席支持部６の支持軸２９下方に被接当部３１が設けられ、座部２の前端側に、座席本体４が着座姿勢Ｘになったときに被接当部３１に後側から接当して座席本体４の支持軸２９廻りの下方揺動を止める接当部３２が設けられ、
接当部３２が被接当部３１に接当する前に被接当部３１に接当して座席本体４が折畳姿勢Ｙから着座姿勢Ｘに揺動しないように規制する規制体３９が座部２側に設けられ、該規制体３９は被接当部３１と接当部３２との間に突出する規制位置Ａと被接当部３１と接当
部３２との間から後退する後退位置Ｂとに移動固定可能に支持されている点にある。
【０００８】
また、本発明の他の技術的手段は、前記規制体３９が座部２の下面側に回動支軸３６廻りに回動自在に支持され、規制体３９の回動操作により、規制体３９が接当部３２側から被接当部３１に向けて突出する規制位置Ａと接当部３２側に後退する後退位置Ｂとに移動固定可能とされている点にある。
また、本発明の他の技術的手段は、座部２の下面側に、規制体３９を規制位置Ａと後退位置Ｂとに位置決め固定する位置決め機構４６が設けられている点にある。
【０００９】
また、本発明の他の技術的手段は、前記規制体３９は、回動支軸３６から径外方向への突出長さが異なる複数の規制部４１，４２を回動支軸３６廻りに互いにずれた位置に有しており、規制体３９を回動操作した複数の規制位置Ａ１，Ａ２でそれぞれの規制部４１，４２が接当部３２側から被接当部３１に向けて突出する長さが異なるように構成されている点にある。
【００１０】
また、本発明の他の技術的手段は、前記規制体３９は、接当部３２側から被接当部３１に向けて突出する長さが複数段に設定変更可能に構成されている点にある。
また、本発明の他の技術的手段は、前記規制体３９は、接当部３２側から被接当部３１に向けて突出する長さが連続的に設定変更可能に構成されている点にある。
【発明の効果】
【００１１】
本発明によれば、座席本体に幼児を座らせない場合には、規制体を接当部と被接当部との間に介在させることができ、接当部が被接当部に接当する前に規制体を被接当部に接当させて、規制体で座席本体が折畳姿勢から着座姿勢に揺動しないように確実に規制することができるため、座席本体を折畳姿勢にした状態で自転車を運転した際に、自転車が大きくガタ付いても、座席本体が折畳姿勢から着座姿勢に不測に揺動するのを確実に防ぐことができて、座席本体が大きくガタ付かないようになし得る。
【図面の簡単な説明】
【００１２】
【図１】本発明の第１実施形態を示す自転車用幼児座席の側面図である。
【図２】同自転車用幼児座席の斜視図である。
【図３】同規制体を後退位置にした状態の座席前側の側断面図である。
【図４】同規制体を第１規制位置にした状態の座席前側の側断面図である。
【図５】同規制体を第２規制位置にした状態の座席前側の側断面図である。
【図６】同座席前部の側断面図である。
【図７】同座部及び座席支持部の後端部の底面図である。
【図８】同回動操作体の正面図で、（ａ）は規制体を後退位置にした状態、（ｂ）は規制体を第１規制位置にした状態、（ｃ）は規制体を第２規制位置にした状態、（ｄ）は規制体を他の第１規制位置にした状態である。
【図９】同回動操作体の側面図である。
【図１０】同回動操作体の背面図である。
【図１１】同回動操作体の底面図である。
【図１２】同回動操作体の底面断面図である。
【図１３】第２実施形態を示す支持筒体の斜視図である。
【図１４】同回動操作体の斜視図である。
【図１５】同回動操作体の背面図である。
【図１６】同回動操作体の正面図である。
【発明を実施するための形態】
【００１３】
以下、本発明の実施の形態を図面に基づいて説明する。
図１〜図１２は第１実施形態を示している。図１及び図２において、自転車用幼児座席１は、座部２と背もたれ部３とを有する座席本体４を備え、座席本体４の背もたれ部３の上方にヘッドレスト５が高さ調整自在に設けられ、座席本体４の前部に座席支持部６が設けられている。座席本体４は合成樹脂等により座部２と背もたれ部３とが一体に形成され、ヘッドレスト５及び座席支持部６はそれぞれ別体に合成樹脂等で形成されている。
【００１４】
座席支持部６の上部には幼児用のハンドル９が上方突設され、下部の左右両側には左右
一対のステップ支持脚１０が下方突設されている。
座席支持部６には、自転車のハンドルバー１３に上側から引っ掛けられる左右一対の引掛具１５が設けられると共に該一対の引掛具１５の下方に位置して自転車のハンドルステム１８に締結される締結手段２１が設けられ、これら一対の引掛具１５と締結手段２１とを介して座席支持部６を自転車のハンドル２３の後側に着脱自在に装着するようにしている。ここで、自転車のハンドル２３はハンドルバー１３とハンドルステム１８とを備えるものである。
【００１５】
図１〜図７において、座部２の前端部に左右一対の支持筒部２７が前方突設され、座席支持部６の上下方向の中央部に保持筒部２８が後方突設されており、左右一対の支持筒部２７間に保持筒部２８が配置され、一対の支持筒部２７に左右方向の支持軸２９の左右両側が内嵌固着され、保持筒部２８に支持軸２９の中央部が軸心廻りに相対回動自在に内嵌保持されている。これにより、座席本体４の座部２の前端側が座席支持部６に対して左右方向の支持軸２９廻りに揺動自在に連結されて、座席本体４が図１に実線で示す如く後方に揺動した着座姿勢Ｘと図１に２点鎖線で示す如く前方に揺動した折畳姿勢Ｙとに姿勢変更自在とされている。
【００１６】
座席支持部６の支持軸２９下方に左右方向に長い板状の被接当部３１が設けられ、座部２の前端側に左右方向に長い板状の接当部３２が設けられ、座席本体４が着座姿勢Ｘになったときに接当部３２が被接当部３１に後側から接当して座席本体４の支持軸２９廻りの下方揺動を止めるように構成されている。なお、図７に示すように接当部３２には複数の接当リブ３２ａが具備されている。
【００１７】
座部２の下面側に円筒状の支持筒体３５が座部２と一体に突出形成されている。また、座部２の下面側に円筒状の回動支軸３６を有する回動操作体３４が設けられている。支持筒体３５及び回動操作体３４は座部２下面の右側に前下がりに傾斜して配置され、回動支軸３６は支持筒体３５によって前下がりに傾斜した軸心廻りに回動自在に嵌合保持されると共に、ボルト等の締付具３７により座部２の下面側に軸心廻りに回動自在に取り付けられている。
【００１８】
図１〜図１２において、回動支軸３６に規制体３９が径外方向に突設されて、規制体３９が座部２側に設けられている。この規制体３９は、接当部３２が被接当部３１に接当する前に被接当部３１に接当して座席本体４が折畳姿勢Ｙから着座姿勢Ｘに揺動しないように規制するものであり、図３〜図５及び図８に示すように、回動支軸３６の軸心廻りの回動操作により、規制体３９は接当部３２側から被接当部３１に向けて突出する規制位置Ａ（後述する第１規制位置Ａ１及び第２規制位置Ａ２）と、接当部３２側に後退する後退位置Ｂとに移動可能とされている。
【００１９】
前記規制体３９は、回動支軸３６から径外方向への突出長さが異なる第１規制部４１と第２規制部４２とを有している。第１規制部４１は回動支軸３６の周方向に一対あって回動支軸３６を取り囲む円弧状に形成され、第２規制部４２は一対の第１規制部４１間にあって第１規制部４１から径外方向にコの字状に突出されている。複数の規制部である一対の第１規制部４１と第２規制部４２とは回動支軸３６廻りに互いにずれた位置に配置され、第２規制部４２が第１規制部４１よりも回動支軸３６から径外方向へやや大きく突出されている。
【００２０】
回動支軸３６の先端側には回動支軸３６乃至規制体３９を回動操作するための直方体形状の摘み部４４が形成されている。摘み部４４は回動操作体３４と共に座部２下面の右側に配置されているため、自転車を降りた状態で回動操作体３４を右手で回動操作し易くなっている。
而して、摘み部４４を摘んで回動操作体３４を回動操作することによって、図８（ａ）に示す如く第１規制部４１及び第２規制部４２が接当部３２側に後退する後退位置Ｂに規制体３９を回動したときに、第１規制部４１及び第２規制部４２が被接当部３１から外れて、接当部３２が被接当部３１に接当し、座席本体４が着座姿勢Ｘに揺動するのを許す。また、図８（ｂ）（ｄ）に示す如く第１規制部４１が接当部３２側から被接当部３１に向けて大きく突出する第１規制位置Ａ１に規制体３９を回動したときに、第１規制部４１が
被接当部３１に接当して座席本体４が折畳姿勢Ｙから着座姿勢Ｘに揺動しないように規制する。さらに、図８（ｃ）に示す如く第２規制部４２が接当部３２側から被接当部３１に向けて最も大きく突出する第２規制位置Ａ２に規制体３９を回動したときに、第２規制部４２が被接当部３１に接当して座席本体４が折畳姿勢Ｙから着座姿勢Ｘに揺動しないように規制する。
【００２１】
支持筒体３５と回動支軸３６との間に、規制体３９を規制位置Ａと後退位置Ｂとに位置決め固定する位置決め機構４６が設けられている。位置決め機構４６は、支持筒体３５に形成した複数（４個）の係止溝４７と回動支軸３６に突設した複数（４個）の係合突部４８とを備えてなり、係止溝４７は支持筒体３５に周方向に等間隔をおいた前後左右の４箇所にスリット状に形成され、係合突部４８は回動支軸３６の外周部に係止溝４７に対応して周方向に等間隔をおいた前後左右の４箇所に突設されており、複数の係合突部４８がそれぞれの係止溝４７に係合することにより、第１規制部４１が接当部３２側から被接当部３１に向けて突出する２箇所の第１規制位置Ａ１（図８（ｂ）（ｄ）の状態）と、第２規制部４２が接当部３２側から被接当部３１に向けて突出する１箇所の第２規制位置Ａ２（図８（ｃ）の状態）と、規制体３９が接当部３２側に後退する１箇所の後退位置Ｂ（図８（ａ）の状態）との計４位置に移動固定可能とされている。
【００２２】
上記実施形態によれば、自転車のハンドル２３の後側に装着した自転車用幼児座席１に幼児を座らせる場合には、図３及び図８（ａ）に示すように、回動支軸３６を軸心廻りに回動操作することによって規制体３９を後退位置Ｂに回動すればよい。このとき、図３及び図８（ａ）に示す如く規制体３９（第１規制部４１及び第２規制部４２）が被接当部３１側から接当部３２側に後退して、座部２乃至座席本体４が支持軸２９廻りに後方揺動し、接当部３２が被接当部３１に接当して座席本体４の支持軸２９廻りの下方揺動が止められ、座席本体４が着座姿勢Ｘに保持される。従って、着座姿勢Ｘになった座席本体４に幼児を乗せることができ、幼児を自転車用幼児座席１の座部２に安定に座らせて自転車を運転することができる。
【００２３】
座席本体４に幼児を座らせないで自転車を運転する場合には、座席本体４を支持軸２９廻りに前方揺動して折畳姿勢Ｙにし、その後に回動支軸３６を軸心廻りに回動操作することによって規制体３９を図４及び図８（ｂ）（ｄ）に示す如く第１規制位置Ａ１に回動し又は図５及び図８（ｃ）に示す如く第２規制位置Ａ２に回動すればよい。このとき、規制体３９を第１規制位置Ａ１に回動することにより、図４及び図８（ｂ）（ｄ）に示す如く第１規制部４１が被接当部３１側から接当部３２側に突出して、接当部３２が被接当部３１に接当する前に第１規制部４１が被接当部３１に接当して座席本体４が折畳姿勢Ｙから着座姿勢Ｘに揺動しないように座席本体４の着座姿勢Ｘへの揺動を規制する。また、規制体３９を第２規制位置Ａ２に回動することにより、図５及び図８（ｃ）に示す如く第２規制部４２が被接当部３１側から接当部３２側により大きく突出して、接当部３２が被接当部３１に接当する前に第２規制部４２が被接当部３１に接当し、第１規制部４１で揺動規制した場合よりも、座席本体４がより大きく前方揺動した状態で、折畳姿勢Ｙから着座姿勢Ｘに揺動しないように座席本体４の揺動を規制する。
【００２４】
従って、規制体３９（第１規制部４１又は第２規制部４２）を接当部３２と被接当部３１との間に介在させることができ、接当部３２が被接当部３１に接当する前に規制体３９を被接当部３１に接当させて、規制体３９で座席本体４が折畳姿勢Ｙから着座姿勢Ｘに揺動しないように確実に規制することができる。このため、座席本体４を折畳姿勢Ｙにした状態で自転車を運転した際に、自転車が大きくガタ付いても、座席本体４が折畳姿勢Ｙから着座姿勢Ｘに不測に揺動するのを確実に防ぐことができて、座席本体４が大きくガタ付かないようになし得る。
【００２５】
しかも、規制体３９は、回動支軸３６から径外方向への突出長さが異なる第１規制部４１と第２規制部４２とを回動支軸３６廻りに互いにずれた位置に有し、第１規制位置Ａ１と第２規制位置Ａ２との複数の規制位置Ａでそれぞれの規制部４１，４２が接当部３２側から被接当部３１に向けて突出する長さが異なっており、規制体３９は接当部３２側から被接当部３１に向けて突出する長さが複数段に設定変更可能に構成されているので、自転
車用幼児座席１を装着する自転車のハンドル２３の形状や自転車の大きさ形状によって、折畳姿勢Ｙにしたときに座席本体４の背もたれ部３側が自転車のハンドル２３に接当又は近接する際の支持軸２９廻りに前方揺動の揺動角度が異なる場合でも、規制体３９が接当部３２側から被接当部３１に向けて突出する長さを選択変更することにより、座席本体４の背もたれ部３側を自転車のハンドル２３により強く又はより接近させて接当乃至近接させることができ、自転車のガタ付きに伴って座席本体４が支持軸２９廻りにガタ付くのをより確実に防止することができる。
【００２６】
図１３〜図１６は第２実施形態を示し、座部２の下面側に突出形成した円筒状の支持筒体３５の内周面に、凹溝状に形成した多数の係止溝４７が周方向全周に亘って連続したジグザグ状に形成されている。また、回動支軸３６の先端側に楕円状の規制体３９と摘み部４４とが設けられ、規制体３９に突設した円筒状の内嵌筒体５１が回動支軸３６の周囲を取り囲むように形成され、回動支軸３６は内嵌筒体５１を介して支持筒体３５に軸心廻りに回動自在に支持されている。
【００２７】
また、内嵌筒体５１に周方向に等間隔をおいて複数（４個）のスリット５２が設けられ、内嵌筒体５１外周のスリット５２間に前記多数の係止溝４７に選択的に係合する係合突部４８が複数（４個）設けられ、位置決め機構４６が前記多数の係止溝４７、複数のスリット５２及び複数の係合突部４８により構成されており、規制体３９を回動支軸３６廻りに細かく連続的に移動固定できるようになっている。
【００２８】
そして、規制体３９は楕円状に形成されており、規制体３９を図１６に２点鎖線で示す如く後退位置Ｂに回動したときに、規制体３９が接当部３２側に後退し、規制体３９を図１６に実線で示す如く規制位置Ａに回動したときに、規制体３９が接当部３２側から被接当部３１に向けて最も大きく突出する。また、規制体３９を図１６に２点鎖線で示す後退位置Ｂから実線で示す規制位置Ａに徐々に回動操作したときに、規制体３９の接当部３２側から被接当部３１に向けて突出する長さが連続的に次第に大きくなるようになっており、規制体３９は接当部３２側から被接当部３１に向けて突出する長さが連続的に設定変更可能に構成されている。
【００２９】
この第２実施形態の場合、規制体３９は接当部３２側から被接当部３１に向けて突出する長さが連続的に設定変更可能であるので、自転車用幼児座席１を装着する自転車のハンドル２３の形状や自転車の大きさ形状によっては、折畳姿勢Ｙにしたときに、座席本体４の背もたれ部３側が自転車のハンドル２３に接当又は近接する際の支持軸２９廻りに前方揺動の揺動角度が大きく異なる場合でも、規制体３９が接当部３２側から被接当部３１に向けて突出する長さを連続的に設定変更することにより、座席本体４の背もたれ部３側を自転車のハンドル２３により強く又はより接近させて接当乃至近接させることができ、自転車のガタ付きに伴って座席本体４が支持軸２９廻りにガタ付くのをより一層確実に防止することができる。
【００３０】
なお、前記実施形態では、規制体３９の回動により該規制体３９が規制位置Ａと後退位置Ｂとに移動固定されるようになっているが、これに代え、規制体３９を直線的な往復移動により規制位置Ａと後退位置Ｂとに移動固定するように構成してもよい。
また、規制体３９を規制位置Ａと後退位置Ｂとに位置決め固定する位置決め機構４６を、規制体３９と座部２との間に設けるようにしてもよい。
【符号の説明】
【００３１】
１      自転車用幼児座席
２      座席
３      背もたれ部
４      座席本体
６      座席支持部
９      ハンドル
２９    支持軸
３１    被接当部
３２    接当部
３５    支持筒体
３６    回動支軸
３９    規制体
４１    第１規制部
４２    第２規制部
４６    位置決め機構
Ａ      規制位置
Ｂ      後退位置
Ｘ      着座姿勢
Ｙ      折畳姿勢
【図１】
0005706764.tif 000002
【図２】
0005706764.tif 000003
【図３】
0005706764.tif 000004
【図４】
0005706764.tif 000005
【図５】
0005706764.tif 000006
【図６】
0005706764.tif 000007
【図７】
0005706764.tif 000008
【図８】
0005706764.tif 000009
【図９】
0005706764.tif 000010
【図１０】
0005706764.tif 000011
【図１１】
0005706764.tif 000012
【図１２】
0005706764.tif 000013
【図１３】
0005706764.tif 000014
【図１４】
0005706764.tif 000015
【図１５】
0005706764.tif 000016
【図１６】
0005706764.tif 000017